(57)【要約】【課題】  本発明の目的は、リアプロジェクションテレビ用途である樹脂製レンズシートのレンズのファインピッチ化に対応した、使用時にレンズシートに変形を生じることのない機械的強度を有する透過型スクリーン用レンズシート及びこのレンズシートを用いた透過型スクリーンを提供することを目的とする。【解決手段】  片面に単位レンズ１が０．３ｍｍ以下のピッチで多数並列された樹脂製レンズ部２を有、反対面に前記単位レンズの非集光位置に遮光層９を設けたレンズシート基材３と、該レンズシート基材３の厚さより厚い樹脂製支持体４とを接着層５を介して積層したレンズシートとした。【選択図】図１
2005070489.tif 000002
【特許請求の範囲】
【請求項１】
少なくとも片面に単位レンズが０．３ｍｍ以下のピッチで並列された樹脂製レンズ部を有するレンズシート基材と、支持体とを接着層を介して積層したことを特徴とするレンズシート。
【請求項２】
前記単位レンズが、半円柱状凸シリンドリカルレンズであることを特徴とする請求項１記載のレンズシート。
【請求項３】
前記レンズシート基材のレンズ部の反対面に、前記レンズ部と光軸があった凸部を有することを特徴とする請求項１または２記載のレンズシート。
【請求項４】
前記単位レンズが、２次元的に配列されたフライアイであることを特徴とする請求項１記載のレンズシート。
【請求項５】
前記レンズシート基材の、レンズ部反対面の非集光部に遮光層を設けたことを特徴とする請求項１から４のいずれかに記載のレンズシート。
【請求項６】
前記支持体が、光拡散性微粒子を含む樹脂からなることを特徴とする請求項１から５のいずれかに記載のレンズシート。
【請求項７】
前記支持体が、光拡散性微粒子を含む拡散層と、光拡散性微粒子を含まない樹脂層とからなることを特徴とする請求項１から５のいずれかに記載のレンズシート。
【請求項８】
前記拡散層が、光拡散性微粒子を含む樹脂の塗布により形成されたことを特徴とする請求項７記載のレンズシート。
【請求項９】
前記支持体が、０．３ｍｍ以上の厚みとしたことを特徴とする、請求項１から８のいずれかに記載のレンズシート。
【請求項１０】
請求項１から９のいずれかのレンズシートと、フレネルレンズを組み合わせたことを特徴とする透過型スクリーン。
【発明の詳細な説明】
【技術分野】
【０００１】
本発明は、透過型スクリーンに用いるレンズシート、及び透過型スクリーンに関する。
【背景技術】
【０００２】
従来からプロジェクションスクリーンの１つとして、リアプロジェクションスクリーンが、一般的に用いられている。このリアプロジェクションスクリーンを用いたテレビは、通常、光源、映像表示体、投影レンズを具備したプロジェクターから投影される映像光が、フレネルレンズを有するフレネルレンズシート、レンチキュラーレンズを有するレンチキュラーレンズシ−トを介して、観察者に到達するように構成されている。
【０００３】
プロジェクションテレビ用スクリ−ンは、一般的に、水平方向に広く拡散し、垂直方向へは、水平方向より狭く拡散するような光学機能を求められているので、水平方向の拡散は、レンチキュラーレンズが、垂直方向の拡散は、光拡散剤が分散された光拡散板や光拡散シートが用いられることが多い。
【０００４】
近年のリアプロジェクションテレビは、高精細な画像や、広い範囲で同色度の明るい画像が観察可能な光拡散性スクリーンの要望が多い。特に、高精細な画像に対応するため、透過型スクリーンに用いるレンズシートのレンズ部を構成する単位レンズのピッチが細かいものが必要となるが、一方、レンズの高さは、レンズのピッチの１／２以下にしなければならなかった。
【０００５】
具体的には、単位レンズが０．３ｍｍ以下のピッチであるレンズ部を具備するレンズシートが要望されている。このように、単位レンズのピッチが０．３ｍｍ以下となるファインピッチ化が進むのに伴い、レンズシートの厚みが、０．１５ｍｍ以下となってしまうため、レンズシート全体の機械的強度が弱くなってしまうため、レンズのファインピッチ化を進めることが難しいという課題を有していた。
【０００６】
この課題の改善として、支持シートを用い、この支持シートの片面に、電離放射線硬化型樹脂を用い、この樹脂を硬化成形してなるレンズ部を設けた構成とすることが提案されている（特許文献１参照）。
【０００７】
しかしながら、レンズ部が熱可塑性樹脂からなるレンズシートの場合は、用いることのできる樹脂の種類が限定され、しかも剛性を有する別の支持シートを用いることが難しいので、機械的強度を保つのがより困難となるため、レンズシートの機械的強度のより一層の改善が求められていた。
【特許文献１】特開平０３−１２７０４１号公報。
【発明の開示】
【発明が解決しようとする課題】
【０００８】
本発明の目的は、リアプロジェクションテレビ用途である樹脂製レンズシートのレンズのファインピッチ化に対応した、使用時にレンズシートに変形を生じることのない機械的強度を有する透過型スクリーン用レンズシート及びこのレンズシートを用いた透過型スクリーンを提供することを目的とする。
【課題を解決するための手段】
【０００９】
本発明は、請求項１に記載のように、少なくとも片面に単位レンズが０．３ｍｍ以下のピッチで並列された樹脂製レンズ部を有するレンズシート基材と、支持体とを接着層を介して積層したことを特徴とするレンズシートである。
【００１０】
請求項２に記載の発明は、前記単位レンズが、半円柱状凸シリンドリカルレンズであることを特徴とする請求項１記載のレンズシートである。
【００１１】
請求項３に記載の発明は、前記レンズシート基材のレンズ部の反対面に、前記レンズ部と光軸があった凸部を有することを特徴とする請求項１または２記載のレンズシートである。
【００１２】
請求項４に記載の発明は、前記単位レンズが、２次元的に配列されたフライアイであることを特徴とする請求項１記載のレンズシートである。
【００１３】
請求項５に記載の発明は、前記レンズシート基材の、レンズ部反対面の非集光部に遮光層を設けたことを特徴とする請求項１から４のいずれかに記載のレンズシートである。
【００１４】
請求項６に記載の発明は、前記支持体が、光拡散性微粒子を含む樹脂からなることを特徴とする請求項１から５のいずれかに記載のレンズシートである。
【００１５】
請求項７に記載の発明は、前記支持体が、光拡散性微粒子を含む拡散層と、光拡散性微粒子を含まない樹脂層とからなることを特徴とする請求項１から５のいずれかに記載のレンズシートである。
【００１６】
請求項８記載の発明は、前記拡散層が光拡散性微粒子を含む樹脂の塗布により形成されたことを特徴とする請求項７記載のレンズシートである。
【００１７】
請求項９に記載の発明は、前記支持体が、０．３ｍｍ以上の厚みとしたことを特徴とする、請求項１から８のいずれかに記載のレンズシートである。
【００１８】
請求項１０に記載の発明は、請求項１から９のいずれかのレンズシートと、フレネルレンズを組み合わせたことを特徴とする透過型スクリーンである。
【発明の効果】
【００１９】
本発明は以上の構成からなるので、
（１）単位レンズがファインピッチ化され、レンズシート基材が薄くなっても、一定の        厚みを有する支持体と接着層を介して積層して、レンズシートとしたので、レン        ズシート全体の機械的強度を保つことができ、透過型スクリーンに用いることが        可能となる。
【００２０】
（２）また、接着層に加熱を行わずに積層可能な粘着剤を用いることで、薄いレンズシ        ートを積層する際に、変形を防止でき、しかも支持体により固定されるので、フ        ァインピッチ化したレンズ部を有するレンズシート基材の機能をそのまま維持す        ることができる。
【発明を実施するための最良の形態】
【００２１】
本発明の実施の形態について説明する。
【００２２】
本発明は、図１に示すように、片面に単位レンズ１が０．３ｍｍ以下のピッチで多数並列されたレンズ部２を有する樹脂製レンズシート基材３と、レンズシート基材３の厚さより厚さの大きい樹脂製支持体４とを接着層５を介して積層したことを特徴とするレンズシートである。
【００２３】
また、図２に示すように、レンズシート基材は、片面にレンズ部を設けた構成以外に、このレンズ部２を構成する単位レンズ１と反対面の射出側に、この単位レンズ１と光軸があった凸部１０を形成し、この凸部１０側に接着層５を介して、前記レンズシート基材３より厚い樹脂製支持体４を積層した構成のレンズシートである。
【００２４】
ここで、前記単位レンズは、、半円柱状凸シリンドリカルレンズ、フライアイ等スクリーンに使用可能な単位レンズ形状であればよい。
【００２５】
そして、コントラストを向上するため、レンズシート基材のレンズ部と反対面に、前記レンズ部の単位レンズの非集光位置に、遮光層９を設ける。
【００２６】
この遮光層９は、印刷、転写等適当な手段を用いて、単位レンズのピッチに合わせて形成すればよい。レンズ部の単位レンズのピッチが、ファインピッチ化すると、単位レンズのピッチと、遮光層のピッチを合わせるのが困難となるので、単位レンズの集光作用と感光材料を利用して形成するのが好ましい。
【００２７】
また、図２に示すように、射出側に凸部１０を有する構成の場合は、この凸部１０に遮光部を形成する。
【００２８】
レンズシート基材３を製造するに用いる樹脂は、塩化ビニル樹脂、アクリル樹脂、スチレン樹脂等の透明の高い樹脂が好適である。これらの樹脂を０．３ｍｍ以下の厚さに、例えばＴ−ダイから押し出し、溶融シートを作成し、このシートの片面に、所望のレンズ形状、ピッチのレンズに対応する成形部を有する成形型を押しつけることで、レンズ部を設けたレンズシート基材を製造する。
【００２９】
一方、支持体４は、前記レンズシート基材３に用いた材料と同様の材料を用いることが可能である。そして、厚みは、前記レンズシートより厚く、具体的には、０．３ｍｍ以上、好ましくは、１ｍｍ以上の厚みを有する樹脂製シートからなる。
【００３０】
このように、レンズシート基材より厚い支持体で固定するので、レンズ部の機能をそのまま維持することができ、また、フレネルレンズシートと組み合わせた透過型スクリーンとした時、一定の剛性を有するので、テレビ等表示装置に固定する際、作業が行いやすくなる。
【００３１】
この支持体４は、透明のままでもよいが、透過型スクリーンとして使用するので、樹脂中に光拡散性微粒子を添加した構成、または透明な樹脂層と光拡散性微粒子を含有する光拡散層を設けた積層構成のように、拡散性を有する構成とするのが好ましい。
【００３２】
前記拡散層を形成する光拡散性微粒子１と光透過性樹脂２との屈折率差が、０．００１未満であると、あまり効果的な拡散効果が得られないうえ、スクリーンとした場合、全体で広い範囲で明るさが維持できず、また、スクリーン中央部に強い光が集中し、ホットバーや、このホットバーによるシンチレーションの発生が見られる。
【００３３】
また、０．２を超えると、入射角度が大きくなるにつれて、スクリーン全体に迷光が増加し、シンチレーションの発生が見られる。さらに、過剰な拡散効果が生じ、スクリーンの明るさが分散され、全体が暗くなってしまう。
【００３４】
この光拡散微粒子は、球状、特に真珠状が好ましい。また、前記光拡散微粒子は、アクリル系樹脂、ポリウレタン系樹脂、ポリアミド系樹脂等の有機高分子、またはシリカ等の無機化合物を用いることができる。
【００３５】
また、接着層５は、レンズシート基材３と支持体４を積層するために用いるので、積層時に、熱がかからない接着層を用いるのが好ましい。積層時に熱が加わると、レンズシート基材が薄く、樹脂製なので、この熱により変形が生じる可能性があるためである。
【００３６】
このような接着層５として、粘着剤層が加圧のみで接着可能であり、特に好ましい。
【図面の簡単な説明】
【００３７】
【図１】本発明のレンズシート一例を示す断面説明図。
【図２】本発明のレンズシート他の例を示す断面説明図。
【符号の説明】
【００３８】
１………単位レンズ
２………レンズ部
３………レンズシート基材
４………支持体
５………接着層
９………遮光層
１０………凸部
【図１】
2005070489.tif 000003
【図２】
2005070489.tif 000004